(57)【要約】【課題】道路灯等の照明器具において、照明器具の外面に形成される蜘蛛の巣や、照明器具に降りかかる雪や落ち葉により、照度センサの採光が遮られ難い構成とし、照度センサによる照明器具周囲の外光検出に適した照明器具を提供する。【解決手段】照明器具の後方へ突出する取り付け部を備え、内部に、所要箇所に向けた光を発する照明用光源と、照明器具の周囲の外光を検知する照度センサと、前記照度センサの検出に基づき前記照明用光源の発光を制御する制御部を備え、前記照度センサへ前記外光を取り入れる採光部は、照明器具の後方に向くと共に、照明器具の側面視において、少なくとも一部が前記取り付け部よりも上方に位置すること。【選択図】図２
2018129147.tif 000002
【特許請求の範囲】
【請求項１】
照明器具の後方へ突出する取り付け部を備え、内部に、所要箇所に向けた光を発する照明用光源と、前記照明器具の周囲の外光を検知する照度センサと、前記照度センサの検出に基づき前記照明用光源の発光を制御する制御部を備え、
前記照度センサへ前記外光を取り入れる採光部は、前記照明器具の後方に向くと共に、前記照明器具の側面視において、少なくとも一部が前記取り付け部よりも上方に位置する、
ことを特徴とする照明器具。
【請求項２】
照明器具の後方へ突出する取り付け部を備え、内部に、所要箇所に向けた光を発する照明用光源と、前記照明器具の周囲の外光を検知する照度センサと、前記照度センサの検出に基づき前記照明用光源の発光を制御する制御部を備え、
前記照度センサへ前記外光を取り入れる採光部は、前記照明器具の側面視において、少なくとも一部が前記取り付け部よりも上方に位置し、中央採光軸線が前記照明器具の後方斜め上方に向く、
ことを特徴とする照明器具。
【請求項３】
前記採光部は、前記取り付け部の近傍の上部領域にて採光部２６を通して前記照度センサへ至る外光の中央採光軸線が、後方に行くに従って前記取り付け部よりも後方斜め上方に離れる向きとなる、
ことを特徴とする請求項１または請求項２に記載の照明器具。
【請求項４】
前記取り付け部は、前記照明器具から後方へ並行に延びる左右配置の板状取り付け部で構成され、
前記採光部は、前記左右配置の板状取り付け部の上端部間に配置された、
ことを特徴とする請求項１乃至３のいずれかに記載の照明器具。
【請求項５】
前記採光部は、透光性部材で構成され、上部が斜め前方へ傾斜する前記照明器具の後壁に貫通形成された採光孔に挿入される挿入部と、前記採光孔を塞ぐ大きさを有し前記照明器具の後壁外面に当接する頭部とを有し、
前記挿入部に密着し前記採光部から取り入れた外光以外の光を遮断する筒状遮光カバーを備える、
ことを特徴とする請求項１乃至４のいずれかに記載の照明器具。
【請求項６】
前記照度センサが配置されたセンサ基板と、
前記照明用光源が下側面に配置された発光部基板と、
前記制御部が配置された制御基板と、を備え、
前記照明器具は内部空間を有し前後方向に長い形態をなし、
前記内部空間のうち、前部空間に前記発光部基板が配置され、後部空間に前記制御基板が配置され、
前記センサ基板は、前記照度センサが前記採光部に対向し、前記制御基板の後方に位置にて前記照明器具の後壁内面に沿って縦向き配置である、
ことを特徴とする請求項１乃至４のいずれかに記載の照明器具。
【発明の詳細な説明】
【技術分野】
【０００１】
本発明は、周囲の明暗を照度センサで検出して光源の点灯制御を行う照明器具に関する。
【背景技術】
【０００２】
屋外設置の道路灯等の照明装置は、照明装置の後部に設けた取り付け部を支柱に取り付けた状態で、照明装置内に設けた照度センサが照明装置周囲の外光の明暗照度を検知することにより、電源回路が照明装置の光源である発光素子を点灯するか消灯するかを制御するものがある（特許文献１参照）。
【０００３】
特許文献１のものは、明るさセンサ６５に入る外光は、支持部本体１３の天面１３Ｄに形成した採光用開口１５に挿入されたシリコンゴム等の透光性センサーカバー１７を通して、明るさセンサ６５で検出される。
【先行技術文献】
【特許文献】
【０００４】
【特許文献１】特開２０１６-０２４９５４号公報
【発明の概要】
【発明が解決しようとする課題】
【０００５】
このように特許文献１のものは、支柱６への取り付け用ブラケット１４は２枚の板状部材１４Ａ、１４Ｂで構成され、透光性センサーカバー１７は、支持部本体１３の天面１３Ｄに形成した採光用開口１５に挿入され、この２枚の板状部材１４Ａ、１４Ｂ間に埋もれる状態である。
このため、降り掛かる雪にセンサーカバー１７が埋もれる虞があり、また、照明器具の周囲から飛来する落ち葉によってセンサーカバー１７が塞がれる虞があり、更には、２枚の板状部材１４Ａ、１４Ｂ間に亘る蜘蛛の巣によっても塞がれる虞がある。
このような事態になれば、明るさセンサ６５による正規の照度検知作用が損なわれ、発光素子の正規の点灯・消灯制御ができなくなることが懸念される。
【０００６】
また、特許文献１のものは、センサーカバー１７は天面１３Ｄに存在するため、鳥類に発見され易く、鳥類によりセンサーカバー１７が損傷され易く、降雨時にはこの損傷したセンサーカバー１７から侵入した雨水が、明るさセンサ６５の表面に付着し或いは雨水が溜まり、明るさセンサ６５による正規の照度検知作用が損なわれ、発光素子の正規の点灯・消灯制御ができなくなる懸念がある。また、センサーカバー１７が損傷された場合、照明器具内に侵入した雨水が電気回路に付着することにより、電気回路の故障の原因にもなる。
【０００７】
更に、特許文献１のものは、センサーカバー１７は支持部本体１３の天面１３Ｄに存在するため、その上面に塵埃が溜まり易く、この塵埃によって光透過性能が低下し、挙げ句の果ては、明るさセンサ６５による正規の照度検知作用が損なわれ、発光素子の正規の点灯・消灯制御ができなくなる懸念があり、これらの点を解決することが一つの課題である。
【０００８】
本発明は、このような点に鑑み、屋外設置の道路灯等の照明器具に関し、照明器具を電柱やポール等に取り付ける取り付け部を照明器具の後方へ突出して設けられた形態において、照明器具の外面に形成される蜘蛛の巣や、照明器具に降りかかる雪や落ち葉により、照度センサの採光が遮られ難い構成とし、照度センサによる照明器具周囲の外光検出に適した照明器具を提供する。
【０００９】
本発明は、また、上記課題の解決のために、照明器具を電柱やポール等に取り付ける取り付け部が、照明器具の後方へ突出して設けられた形態において、照度センサへの採光部を照明器具の後壁に配置する場合、この採光部の配置によって照明器具の小型化が制限され難い技術を提供する。
【００１０】
このため、本発明は、照明器具の後方へ突出して設けられた形態において、この取り付け部で囲まれた上部領域に照度センサへの採光部が配置され、前記採光部は、前記照明器具の側面視において、少なくともその一部が前記取り付け部よりも上方に位置する配置とする。
【００１１】
また、本発明は、照明器具の後壁外面に後方へ突出する左右配置の取り付け部を備え、この左右配置の取り付け部で囲まれた上部領域に照度センサへの採光部が配置され、前記採光部は、前記照明器具の側面視において、少なくともその一部が前記左右配置の取り付け部よりも上方に位置する配置とする。
【課題を解決するための手段】
【００１２】
第１の本発明の照明器具は、
照明器具の後方へ突出する取り付け部を備え、内部に、所要箇所に向けた光を発する照明用光源と、照明器具の周囲の外光を検知する照度センサと、前記照度センサの検出に基づき前記照明用光源の発光を制御する制御部を備え、
前記照度センサへ前記外光を取り入れる採光部は、前記照明器具の後方に向くと共に、前記照明器具の側面視において、少なくとも一部が前記取り付け部よりも上方に位置する、
ことを特徴とする。
【００１３】
第２の本発明の照明器具は、
照明器具の後方へ突出する取り付け部を備え、内部に、所要箇所に向けた光を発する照明用光源と、照明器具の周囲の外光を検知する照度センサと、前記照度センサの検出に基づき前記照明用光源の発光を制御する制御部を備え、
前記照度センサへ前記外光を取り入れる採光部は、前記照明器具の側面視において、少なくとも一部が前記取り付け部よりも上方に位置し、中央採光軸線が前記照明器具の後方斜め上方に向く、
ことを特徴とする。
【００１４】
第３の本発明の照明器具は、
前記第１または第２において、
前記採光部は、前記取り付け部の近傍の上部領域にて採光部２６を通して前記照度センサへ至る外光の中央採光軸線が、後方に行くに従って前記取り付け部よりも後方斜め上方に離れる向きとなる、
ことを特徴とする。
【００１５】
第４の本発明の照明器具は、
前記第１乃至第３のいずれかにおいて、
前記取り付け部は、前記照明器具から後方へ並行に延びる左右配置の板状取り付け部で構成され、
前記採光部は、前記左右配置の板状取り付け部の上端部間に配置された、
ことを特徴とする。
【００１６】
第５の本発明の照明器具は、
前記第１乃至第４のいずれかにおいて、
前記採光部は、透光性部材で構成され、上部が斜め前方へ傾斜する前記照明器具の後壁に貫通形成された採光孔に挿入される挿入部と、前記採光孔を塞ぐ大きさを有し前記照明器具の後壁外面に当接する頭部とを有し、
前記挿入部に密着し前記採光部から取り入れた外光以外の光を遮断する筒状遮光カバーを備える、
ことを特徴とする。
【００１７】
第６の本発明の照明器具は、前記第１乃至第４のいずれかにおいて、
前記照度センサが配置されたセンサ基板と、
前記照明用光源が下側面に配置された発光部基板と、
前記制御部が配置された制御基板と、を備え、
前記照明器具は内部空間を有し前後方向に長い形態をなし、
前記内部空間のうち、前部空間に前記発光部基板が配置され、後部空間に前記制御基板が配置され、
前記センサ基板は、前記照度センサが前記採光部に対向し、前記制御基板の後方に位置にて前記照明器具の後壁内面に沿って縦向き配置である、
ことを特徴とする。
【発明の効果】
【００１８】
本発明の照明器具は、照明器具の後方へ突出する取り付け部を備え、照明器具の周囲の外光を検知する照度センサへの採光部は、照明器具の後方に向くと共に、照明器具の側面視において、少なくとも一部が取り付け部よりも上方に位置する。このため、照明器具に降りかかる雪や落ち葉によって採光部が塞がり難く、また、取り付け部に蜘蛛の巣が形成されても、取り付け部よりも上方に位置する採光部の部分から外光の取り入れができることとなり、照度センサによる外光検出不良が生じ難くなる。
【００１９】
本発明の照明器具は、照度センサへの採光部は、その中央採光軸線が照明器具の後方斜め上方に向く構成、更に、中央採光軸線が後方に行くに従って取り付け部よりも後方斜め上方に離れる向きとなる配置によって、上記同様の効果を奏するとともに、取り付け部が照度センサによる外光検出の邪魔にならない。
【００２０】
本発明の照明器具は、取り付け部が照明器具から後方へ並行に延びる左右配置の板状取り付け部で構成され、採光部が左右配置の板状取り付け部の上端部間に配置されることによって、上記同様の効果を奏する。
【００２１】
本発明の照明器具は、採光部は、透光性部材で構成され、照明器具の前傾後壁に貫通形成された採光孔に挿入される挿入部と、前記採光孔を塞ぐ大きさを有し照明器具の後壁外面に当接する頭部とを有し、挿入部に密着し採光部から取り入れた外光以外の光を遮断する筒状遮光カバーを備える。
これによって、照度センサは採光部から取り入れた外光のみを感知でき、安定した検出動作が得られる。
【００２２】
本発明の照明器具は、内部空間のうち、前部空間に発光部基板が配置され、後部空間に制御基板が配置され、センサ基板は、照度センサが採光部に対向し、制御基板の後方に位置にて照明器具の後壁内面に沿って縦向き配置である。
これによって、センサ基板は、制御基板の取り付けに規制されることなく、照度センサが採光部に対向する状態の配置がし易くなり、採光部が照明器具の斜め上後方に向く配置に好適となる。
【図面の簡単な説明】
【００２３】
【図１】本発明に係る照明器具の分解斜視図である。
【図２】本発明に係る照明器具の要部縦断側面図である。
【図３】本発明に係る照明器具の透光性カバーを外した状態で本体を下方から視た図である。
【図４】本発明に係る照明器具を下方から視た図である。
【図５】本発明に係る照明器具を後方から視た図である。
【図６】本発明に係る照明器具を後方から見た斜視図である。
【図７】本発明に係る照明器具を支柱に取り付けた状態の側面図である。
【図８】図４のＡ−Ａ断面図である。
【図９】図４のＤ−Ｄ断面図である。
【図１０】本発明に係る照明器具の排水孔の下面図である。
【図１１】図１０のＢ−Ｂ断面図である。
【図１２】図１０のＣ−Ｃ断面図である。
【発明を実施するための形態】
【００２４】
本発明の照明器具は、照明器具の後方へ突出する取り付け部を備え、内部に、所要箇所に向けた光を発する照明用光源と、照明器具の周囲の外光を検知する照度センサと、前記照度センサの検出に基づき前記照明用光源の発光を制御する制御部を備え、前記照度センサへの採光部は、前記照明器具の後方に向くと共に、前記照明器具の側面視において、少なくとも一部が前記取り付け部よりも上方に位置する構成である。
以下、本発明の実施形態として、所要箇所に向けた光を発する照明用光源７であるＬＥＤ素子（発光ダイオード）７が２列配置された照明器具１について、図面を参照して説明する。
【００２５】
本発明の照明器具１は、不透光性の本体２の下面側の開口部２Ａの周縁部で囲まれた領域に照明用光源をなすＬＥＤ素子７が放射する光を所定の配光にて出射する発光部６が取り付けられ、ＬＥＤ素子７の出射光が道路方向に配光される照明器具である。
その一つ形態として、図１〜図９に示すように、照明器具１は、開口部２Ａを塞ぐように本体２に組み合わされる透光性カバー３を備える前後方向に長い形態であり、開口部２Ａに沿って発光部６を配置している。本体２は、下面の略全域が開口するように開口部２Ａを形成し内外両面に防錆効果のある熱伝導性塗装を施した金属製等の熱伝導良好な不透光性で構成され、合成樹脂製の透光性カバー３は、この本体２の開口部２Ａを塞ぐように開口部２Ａの周縁部に組み合わされる。
【００２６】
本体２は、アルミニウムを材料としてダイキャスト成形され、上壁２Ｔと上壁２Ｔから下降する周囲壁２Ｓで囲まれ上方に膨らむ形態の前後方向に長い内部空間４を有し、内部空間４は周囲壁２Ｓで囲まれ下側に開口する開口部２Ａを形成し、支柱ＰＬ等への取り付け部１０を後部に備える。透光性カバー３は下方に膨らんだ形態をなし、上端周縁部には上方へ突出する環状フランジ３Ｆが形成されている。本体２の開口部２Ａの周縁部を巡るように、下方へ突出する環状フランジ２Ｆを形成している。開口部２Ａの周縁部には、フランジ２Ｆの内側に透光性カバー３のフランジ３Ｆが嵌り込む溝２Ｍを有する。
【００２７】
図２に示すように、溝２Ｍにフランジ３Ｆが嵌り込むように、透光性カバー３を本体２の開口部２Ａに組み合わせた状態で、４隅をネジＮＪで開口部２Ａの周縁部に透光性カバー３を固定する。溝２Ｍとフランジ３Ｆのように嵌り合う凹凸構成によって、本体２と透光性カバー３との間が防水構造をなしている。なお、溝２Ｍの上底にパッキンを収容し、このパッキンがフランジ３Ｆによって圧縮される構成によって、更に好ましい防水効果が得られる。
【００２８】
図１等に示すように、発光部６は、ＬＥＤ素子７が放射する光を所定の配光にて所要箇所に向けて光を照射する部分であり、ＬＥＤ素子７と、下側面にＬＥＤ素子７が配置された発光部基板５と、ＬＥＤ素子７を覆うように発光部基板５の下側面に組み合わされＬＥＤ素子７が放射する光を所定の配光にて出射する配光ユニット８とを備える。
【００２９】
電気絶縁性の発光部基板５は、発光部６を構成する複数のＬＥＤ素子７を下面に実装し、ＬＥＤ素子７への電路が同じ下面にプリント配線として形成され、このプリント配線を絶縁被膜で覆っている。発光部基板５の下面には、発光部基板５と重ね合わせ状態に配光ユニット８が配置されている。
【００３０】
図１等に示すように、本体２は、内部空間４のうちの前部空間４Ａには、発光部基板５の上面を支える前後方向に並行に延びる複数の熱伝導リブ１１と、発光部基板５の４隅に前記プリント配線とは接続しない位置に形成した孔５Ｐを介して発光部基板５を取り付ける取り付けボス１３、１３Ａが、上壁２Ｔから垂下するように本体２に一体に形成されている。取り付けボス１３、１３Ａは、それぞれ対角位置に配置され、取り付けボス１３Ａは先端に形成したボスが孔５Ｐに嵌合した状態で発光部基板５を支持する長さであり、取り付けボス１３は孔５Ｐを通してネジ９にて発光部基板５を取り付ける長さである。
【００３１】
一対の取り付けボス１３と一対の取り付けボス１３Ａは、対角位置に配置されており、取り付けボス１３、１３Ａに発光部基板５を取り付けた状態で、ＬＥＤ素子７の裏側（上面側）に対向する位置で熱伝導リブ１１が発光部基板５の上面に当接し、発光部基板５が本体２に伝熱的に取り付けられた状態となり、ＬＥＤ素子７の発熱が、発光部基板５を介して本体２に伝熱され、本体２から放散される。
なお、発光部基板５の上面には、下面のプリント配線とは電気的接続とならない状態に放熱用の熱伝導被膜（図示せず）が形成されており、この熱伝導被膜が熱伝導リブ１１に当接することにより、より一層の本体２への伝熱効果が得られる。
【００３２】
また、このように取り付けボス１３、１３Ａに発光部基板５を取り付けた状態で、発光部基板５は、開口部２Ａよりも若干空間４側へ入った位置（前部空間４Ａ側へ入った位置）において、開口部２Ａに略並行に沿った状態である。本体２の内部空間４は、前部から後部に向けて次第に深くなる（開口部２Ａを基準とすれば次第に上方に高くなる）ように形成され、熱伝導リブ１１の左右両側で、本体２の上壁２Ｔ及び周囲壁２Ｓと発光部基板５との間に、本体２の後部から斜め上前方へ延び熱伝導リブ１１の前端と後端で連通する空気通路が形成されている。この空気通路を流れる空気によって、本体２内の熱が本体２から有効に放散される。
【００３３】
配光ユニット８は透光性合成樹脂製であり、板状部８１に複数の配光部８２を一体形成した構成である。配光部８２は、ＬＥＤ素子７ごとに所定の配光となる出射光を形成する部分であり、実施例ではレンズ形態をなす。配光部８２は、照明器具１の左右方向への配光特性を有する第１配光部８２Ａと、照明器具１の略真下方向への配光特性を有する第２配光部８２Ｂ  とを選択可能としている。
【００３４】
このため、上壁２Ｔから垂下するように本体２に一体に取り付けボス１３Ｂが形成されており、発光部基板５と板状部８１の中央部に形成した孔１４Ａ、１４Ｂを通してネジ１２が、取り付けボス１３Ｂに螺合することによって、配光ユニット８が発光部基板５の下側面に取り付けられる。
この取り付けは、ネジ１２による取り付けによって、第１配光部８２Ａの裏側の凹部にＬＥＤ素子７が位置し照明器具１の左右方向への配光となる第１配光状態と、第２配光部８２Ｂの裏側の凹部にＬＥＤ素子７が位置し照明器具１の略真下方向への配光となる第２配光状態とに選択可能である。
【００３５】
照明器具１は、ＬＥＤ素子７に点灯電力を供給する電源部と、ＬＥＤ素子７の点灯と消灯の制御を行う制御回路とを含む制御部１６が、前部空間４Ａの後方に位置する後部空間４Ｂに配置されている。このため、制御部１６は、発光部基板５よりも後方配置となる。制御部１６は、前記電源部を構成する電気部品及び前記制御回路を構成する電気部品ＥＰが、上面に形成したプリント配線と接続される状態で制御基板１７の下側面に取り付けられる。
【００３６】
図１及び図２に示すように、制御基板１７は、発光部基板５の後方位置において、後部空間４Ｂに上壁２Ｔから垂下するように本体２から一体に突出する４個の取り付けボス１８Ａ、１８Ｂに支持される。一対の取り付けボス１８Ａと一対の取り付けボス１８Ｂは、対角位置に配置されており、制御基板１７をこれらボスに載置した状態で、その対角線上の２か所の取り付けボス１８Ａをネジ１９で固定し、本体２と熱伝導状態となる。残りの対角線上の２か所の取り付けボス１８Ｂは、制御基板１７に形成した対角線上の２か所の孔に嵌合する突起を中央部に備えた位置決めボスである。
この取り付け状態で、制御基板１７は、開口部２Ａから深く空間４側へ入った位置（後部空間４Ｂの上壁に近く入った上方位置）であり、発光部基板５よりも上方位置となるように、内部空間４内へ深く入った位置（本体２の上壁に近い位置）を維持する。
【００３７】
制御部１６とＬＥＤ素子７とは、発光部基板５の下面の後端部に配置した発光部基板５側のコネクタ２０Ｃと、制御部１６の前端部に配置した制御部１６側のコネクタ２１Ｃとが電気的に接続されることにより、制御部１６の動作によってＬＥＤ素子７の点灯・消灯が制御される。
【００３８】
照明器具１の内部点検等のために透光性カバー３が本体２から取り外された状態で、作業者が制御部１６の電気回路部分に触れると危険であるため、その危険防止のために、制御部１６を下側から全体的に覆う保護カバー２２を設けている。
【００３９】
後部空間４Ｂには、後部の取り付けボス１３と対角配置に上壁２Ｔから垂下するように本体２から一体に突出する取り付けボス２３Ａと、後部の取り付けボス１３Ａと対角配置に上壁２Ｔから垂下するように本体２から一体に突出する取り付けボス２３Ｂを有する。保護カバー２２は、前端側を取り付けボス１３、１３Ａに載置し、後端側を取り付けボス２３Ａ、２３Ｂに載置する。対角配置の取り付けボス１３Ａ、２３Ｂは、保護カバー２２に形成した対角線上の２か所の孔に嵌合する突起を中央部に備えた位置決めボスであり、対角配置の取り付けボス１３、２３Ａは、保護カバー２２に形成した対角線上の２か所の孔を通してネジ９、２４で固定する固定ボスである。
【００４０】
この取り付けによって、保護カバー２２は、制御基板１７及び電気部品ＥＰを含む制御部１６と離間した状態であり、制御基板１７及び電気部品ＥＰに作業者が触れることによる感電を防いでいる。
保護カバー２２は、金属板か不透明状態の合成樹脂板で構成され、透光性カバー３を通して外部から制御部１６が見えないようにする効果もある。
【００４１】
照明器具１は、周囲の外光照度を検知する照度センサ（光センサともいう）ＳＳを備える。照度センサＳＳは、制御部１６の制御回路を構成する電気部品ＥＰと電気的に接続されるセンサ基板２５に取り付けられている。制御部１６は、照度センサＳＳが検出した照度に基づく照度検出信号を発する照度センサ回路を含む。
センサ基板２５に前記照度センサ回路を配置する構成とし、この照度センサ回路から制御部１６へ照度検出信号を出力する構成でもよい。
【００４２】
これによって、照度センサＳＳの外光検知によって、日暮れ時から夜明けまでの夜間はＬＥＤ素子７が点灯し、夜明けから日暮れ時までの昼間はＬＥＤ素子７が消灯するように、制御部１６によって制御される。
【００４３】
照明器具１は、本体２の周囲壁２Ｓの一部である後壁２Ｂと一体に形成され後壁２Ｂから後方へ突出する取り付け部１０を備える。取り付け部１０は、電柱等の支柱ＰＬに取り付けバンド３０によって取り付ける形態であり、照明器具１の後壁２Ｂから後方へ並行に延びる左右配置の板状取り付け部１０１Ｂで構成される。
【００４４】
左右の板状取り付け部１０１Ｂの後端面１０１Ｒは、支柱ＰＬの柱面（周面）に縦方向に沿う直線状をなす。左右取り付け板部１０１Ｂは、取り付けバンド３０が挿通され係止する縦方向に長い取り付け孔３１を有する。
【００４５】
このように第１取り付け部１０１により支柱ＰＬにＬＥＤ照明器具１を取り付けた状態は、図７に示す。これにおいて、照明器具１は、水平ラインに対して開口部２Ａのラインが、後部１Ａより前部１Ｂが角度αだけ若干高くなる傾斜状態を保つ。この状態で、透光性カバー３の下面は前部から後部に向けて次第に下方となる傾斜をなしており、後部から急峻に本体２に向けた立ち上がり部３Ｇを形成する形態をなし、透光性カバー３の最低部には、排水孔１５を備える。
【００４６】
このような取り付け状態において、第１配光部８２がＬＥＤ素子７に対応する状態では、第１配光部８２のレンズ効果により、ＬＥＤ照明器具１の前後方向軸に対して左右方向に長い配光が形成されるため、左右方向に長い道路面を照射することができる。また、第２配光部８２ＢがＬＥＤ素子７に対応する状態では、第２配光部８２Ｂのレンズ効果によって、ＬＥＤ照明器具１の略直下の地面を照射する配光が形成される。
【００４７】
照明器具１は、ＬＥＤ素子７の消灯時に内部空間４の温度が低下して圧力変動が起こり、下部の排水孔１５から空気が流入する際に雨水が内部空間４に吸引され、照明器具１内が浸水する虞がある。
これを防止するために、４隅をネジＮＪで本体２の開口部２Ａの周縁部に透光性カバー３を固定した状態で、ネジＮＪで固定した４隅の部分では、図９に示すように、本体２の開口部２Ａの周縁部２Ｓ１と透光性カバー３の周縁部３Ｈの裏面は当接しているが、その他の本体２の開口部２Ａの周縁部の前後・左右の４辺部分では、図８に示すように、溝２Ｍとフランジ３Ｆの嵌り合う凹凸構成部分で内部空間４と外気とが連通する呼吸用空気通路５０が形成されている構成である。
この呼吸用空気通路５０によって、図８に矢印で示すように、ＬＥＤ素子７の点灯・消灯や外気温度の変化等に応じて、内部空間４と外気との間で空気が出入りする呼吸作用が行われるため、排水孔１５からの内部空間４への浸水の虞はなくなる。
【００４８】
また、照明器具１上方からの降水時に透光性カバー３を伝わった雨水が排水孔１５から流入し難くする構成を採用している。
図１０乃至図１２に示すように、排水孔１５は透光性カバー３の底壁の最低部に、下方側に凸となる肉厚の半球状部位４０を一体形成し、この半球状部位４０に前後方向に並行に延びる複数の排水用のスリット４２が設けられる。このスリット４２の幅は、排水可能な範囲内で小さい方がよく、下部よりも上部の幅が小さく、最小部分で０.５ｍｍ程度であり、スリット４２間に隔壁４１の部分が半球状で残る。
スリット４２は左右方向に形成することもできるが、図７に示すように、照明器具１は前部が高く取り付けられるため、スリット４２も前後方向に形成した方が排水し易くなる。
【００４９】
このような構成によって、排水孔１５部分では、肉厚の半球状部位４０によって透光性カバー３の底壁が厚くなった状態であり、実質的な排水孔となるスリット４２の上下長さ（高さ）は、透光性カバー３の底壁が均一な厚さである場合に比して長く（高く）なる。
【００５０】
このように、半球状部位４０に排水用のスリット４２を設けるため、照明器具１上方からの降水時に透光性カバー３を伝わった雨水が半球状部位４０に到達した際、平面状部位に排水孔が設けられた場合に比して、水が滞留し難く水切れが良好となり、更に、上記のような雨水の吸引の虞を低減することができる。
また、厚肉の半球状部位４０に排水用のスリット４２を設けるため、実質的な排水孔１５がスリット４２となり、半球状部位４０の下面から透光性カバー３の内部空間までの距離が排水孔の上下長さとなり、実質的な排水孔の長さ（高さ）が確保されこととなるため、透光性カバー３の表面を伝って流れる雨水の巻き込み侵入や、照明器具１の下方側からの飛沫水などの巻き込み侵入が抑制され、照明器具１内が浸水する虞を低減することができる。
【００５１】
照明器具１の周囲の外光を照度センサＳＳへ取り入れる採光部２６は、照明器具１の後方に向くと共に、照明器具１の側面視において、少なくとも一部が取り付け部１０１Ｂよりも上方に位置する。
その具体的な一つの構成を記載する。
【００５２】
図２、図５及び図６に示すように、採光部２６を取り付ける照明器具１の後壁２Ｂは、下部から上部に向けて斜め前上方に傾斜し、左右配置の板状取り付け部１０１Ｂの上端部間に採光部２６が配置される。照度センサＳＳを取り付けたセンサ基板２５は、照度センサＳＳが採光部２６に対向配置となるように、制御基板１７の後方位置にて照明器具１の後壁２Ｂの内面に沿って配置され、センサ基板２５の上部が斜め前上方に傾斜した縦向き配置である。
【００５３】
図２に示すように、採光部２６は、シリコンゴム製の透光性部材で構成され、照明器具１の後壁２Ｂに貫通形成された円形の採光孔２７に挿入される円筒状の挿入部２６Ａと、採光孔２７を塞ぐ大きさの直径を有する円形状の頭部２６Ｂとを有し、頭部２６Ｂは照明器具１の後壁２Ｂの外面に密着状態で当接する。採光部２６を後壁２Ｂに安定的に保持するために、挿入部２６Ａの外面に形成した係止突起２６Ｔが、後壁２Ｂの内面で採光孔２７の周縁部に係止する。
【００５４】
採光部２６は、左右配置の板状取り付け部１０１Ｂの上端部間に配置され、照明器具１の側面視において、少なくともその一部である頭部２６Ｂが取り付け部１０１Ｂよりも上方に位置する。
【００５５】
ＬＥＤ素子７の発光時の光を照度センサＳＳが検出しないようし、採光部２６から取り入れた外光が照度センサＳＳへ導かれるようにするために、採光部２６を覆い採光部２６から取り入れた外光以外の光を遮断する筒状遮光カバー２８を備える。筒状遮光カバー２８は、センサ基板２５に取り付けられており、照度センサＳＳを収容包囲し挿入部２６Ａの内面に密着する第１円筒状部２８Ａと、挿入部２６Ａを覆う第２円筒状部２８Ｂを有する。第２円筒状部２８Ｂは、第１円筒状部２８Ａを取り囲み、係止突起２６Ｔの外面と、後壁２Ｂの内面で採光孔２７の周縁部とに密着状態にて挿入部２６Ａを覆う。
【００５６】
後部空間４Ｂへ突出するように本体２の上壁２Ｔに支持突起２Ｐが一体形成されている。挿入部２６Ａと筒状遮光カバー２８の結合は、挿入部２６Ａの柔軟性を利用して筒状遮光カバー２８を嵌め合わせると共に、挿入部２６Ａの柔軟性を利用して突起２Ｐの後部へセンサ基板２５の上部を侵入させることにより、センサ基板２５が前方向への移動が阻止され、挿入部２６Ａと筒状遮光カバー２８の結合が維持される。
このように、挿入部２６Ａと筒状遮光カバー２８の結合によって、照度センサＳＳが採光部２６に対向配置状態となる。
【００５７】
照度センサＳＳは、センサ基板２５のプリント配線に接続状態であり、センサ基板２５のプリント配線は、制御基板１７と電気的に接続された状態である。センサ基板２５は、照度センサＳＳが採光部２６に対向配置状態となるようにセンサ基板２５の表面が本体２の後壁２Ｂ側に向き、後壁２Ｂの内側に後壁２Ｂに沿ってセンサ基板２５の上部が斜め前上方に傾斜した縦向き配置である。
この状態において、図２に示すように、採光部２６は、取り付け部１０１Ｂの近傍の上部領域にて照明器具１の斜め上後方に向く配置であり、採光部２６を通して照度センサＳＳへ至る外光の中央採光軸線ＨＳが、後方に行くに従って取り付け部１０１Ｂよりも後方斜め上方に離れる向きとなる。
【００５８】
上記のように、採光部２６は、上部が斜め前方へ傾斜する後壁２Ｂに貫通形成された採光孔２７に挿入支持される構成によって、従来のような照明器具１に降りかかる雪や落ち葉によって採光部２６が塞がる虞がなく、照度センサＳＳによる外光検出が良好に行える。また、採光部２６が取り付け部１０１Ｂに完全に囲まれた状態では、左右の取り付け部１０１Ｂに亘って蜘蛛の巣が形成される等によって、採光部２６全体が塞がれれば、採光部２６から外光の取り入れが困難となるが、本発明では、採光部２６の上部が取り付け部１０１Ｂより上方に張り出しているため、その張り出し部分から外光が入り、照度センサＳＳにてその外光検出が可能となる。
【００５９】
取り付け部１０１Ｂの形態や最高部の形態は、上記実施形態に限定されず、取り付け部１０１Ｂと採光部２６の関係が本発明の趣旨を逸脱しない範囲で変更可能である。
【００６０】
照明器具１へ外部電源から電力供給を行うために、照明器具１へ供給される外部電源ラインは、本体２の後壁２Ｂに形成した貫通孔３４に挿入される絶縁ゴム製のブッシング３５を貫通し、外部電源ラインのその先端に取り付けた電源コネクタが制御部１６の電源部に電気的に接続される構成である。
貫通孔３４は、採光部２６の下方位置にあって、左右の取り付け部１０１Ｂ間の上下左右の中間部に位置し、照明器具１の側面視において、完全に取り付け部１０１Ｂに隠れた状態である。照明器具１のアース用端子３７が、左右の取り付け部１０１Ｂの下部に亘っても受けられる。
【００６１】
実施形態では透光性カバー３を備えるが、本発明は、透光性カバー３を設けずに、配光ユニット８が透光性カバー３の役目を兼用するように、配光部８２を一体形成する板状部８１の平面積を広くして、配光ユニット８が本体２の開口部２Ａの周縁を巡るフランジ２Ｆの内側において、開口部２Ａの全体を覆う大きさに形成する形態でもよい。
【符号の説明】
【００６２】
１          照明器具
２          本体
２Ａ        本体の開口部
２Ｂ        後壁
２Ｆ        フランジ
３          透光性カバー
４          内部空間
４Ａ        前部空間
４Ｂ        後部空間
５          発光部基板
６          発光部
７          照明用光源（ＬＥＤ素子）
８          配光ユニット
１０        取り付け部
１０１Ｂ    板状取り付け部
１５        排水孔
１６        制御部
１７        制御基板
２５        センサ基板
２６        採光部
２７        採光孔
４０        半球状部位
４２        排水用のスリット
５０        呼吸用空気通路
ＳＳ        照度センサ
【図１】
2018129147.tif 000003
【図２】
2018129147.tif 000004
【図３】
2018129147.tif 000005
【図４】
2018129147.tif 000006
【図５】
2018129147.tif 000007
【図６】
2018129147.tif 000008
【図７】
2018129147.tif 000009
【図８】
2018129147.tif 000010
【図９】
2018129147.tif 000011
【図１０】
2018129147.tif 000012
【図１１】
2018129147.tif 000013
【図１２】
2018129147.tif 000014